(57)【特許請求の範囲】
【請求項１】
パネルの下部にスライダーを取着し、前記スライダーを下部レールに沿って移動可能に支持し、前記スライダーと下部レールには該スライダーの下部レールからの外れを防止する係合手段を備えた引戸において、
前記下部レールには前記係合手段を構成する２条の係止溝を設け、
それぞれの前記係止溝の両側には、下方に向かう方向に対して傾斜している第一の斜面が設けられ、この第一の斜面の存在により前記係止溝は下方に向かって徐々に幅広となる断面略三角形状とし、
前記スライダーには、下方に突出する２つの係合部が設けられ、
それぞれの前記係合部の両側には、下方に向かう方向に対して傾斜していると共に前記第一の斜面と対向する第二の斜面が設けられ、この第二の斜面の存在により前記係合部は下方に向かって徐々に幅広となる形状に形成され、
前記下部レールは第一の部材に第二の部材を取着して構成し、前記第一の斜面の一方を前記第一の部材に設け、他方を前記第二の部材に形成していて、
前記第二の斜面を前記第一の斜面に係合させることにより、前記下部レールからのスライダーの外れを防止している、
ことを特徴とする引戸。
【発明の詳細な説明】
【技術分野】
【０００１】
この発明は、パネルを上部レールと下部レールとの間で移動可能に支持して、上部レール及び下部レールに沿って引き出し及び畳み込み可能とした引戸に関するものである。
【背景技術】
【０００２】
従来、クローゼット等の扉あるいは室内空間を適宜に区画する間仕切りとして使用される折引戸は、例えば図９に示すように、複数枚のパネル１ａ〜１ｄが下部レール２と上部レール３との間で移動可能に支持され、かつパネル１ａ，１ｂ及びパネル１ｃ，１ｄが蝶番４を介して回動可能に連結されている。【０００３】
各パネル１ａ〜１ｄは、その幅方向中央部に下部スライダー（ランナー）５及び上部スライダー（ランナー）６が設けられ、両スライダー５，６で下部レール２及び上部レール３に沿って移動可能に、かつ回動可能に支持されている。【０００４】
近年、住居のバリアフリー化の要請により、下部スライダー５を支持する下部レール２の床面からの突出量を少なくすることが必要となっている。例えば、図１０（ａ）に示すＣ型レールは、両側から突出する係止辺７によりスライダーの上方への抜けを防止しながら、同スライダーを移動可能に支持する構成である。そして、このようなＣ型レールでは、バリアフリー化の要請により、床面からの高さを３ｍｍ程度とすることが要請されている。【０００５】
特許文献１〜４には、スライダーあるいはローラーを移動可能に支持するレールが開示されている。
【特許文献１】特開平９−２２８７２２号公報
【特許文献２】特開平１０−４６９０６号公報
【特許文献３】特開平８−３３３９４７号公報
【特許文献４】特開昭５４−７７４３９号公報
【発明の開示】
【発明が解決しようとする課題】
【０００６】
図１０（ａ）に示すＣ型レールでは、係止辺７の強度が低く、上方からの荷重により、図１０（ｂ）に示すように、係止辺７が変形しやすい。そして、係止辺７が変形すると、スライダーの移動に支障を来たすという問題点がある。【０００７】
そこで、床面からの高さを３ｍｍに維持しながら、係止辺７の肉厚を増大させると、係止辺７と底面との間隔を十分に確保することができなくなり、スライダーを挿通することができない。【０００８】
特許文献１には、ローラーを移動可能に支持するレールが開示されているが、このようなレールでは床面からの突出量が大きくなり、バリアフリー化を図るには適当ではない。特許文献２，３には、車輪を支持するレールが開示されているが、脱輪防止機能は何ら開示されていない。特許文献４には、アコーディオンカーテンのガイドレールが開示されているが、上方からの荷重により変形しやすいという問題点がある。【０００９】
この発明の目的は、引戸のスライダーの下部レールから上方への抜けを確実に防止し、かつ十分な強度を備えた下部レールを提供することにある。
【課題を解決するための手段】
【００１０】
請求項１では、パネルの下部にスライダーを取着し、前記スライダーを下部レールに沿って移動可能に支持し、前記スライダーと下部レールには該スライダーの下部レールからの外れを防止する係合手段を備えた引戸において、前記下部レールに備える係合手段は、該下部レールの上面と斜め下方に向かう第一の斜面とで下方に向かって徐々に肉厚となる断面略三角形状とした。【００１１】
また、前記スライダーには、前記第一の斜面に対向するように斜め上方に向かう第二の斜面を前記係合手段として形成し、該第二の斜面を下方から前記第一の斜面に係合させて、前記下部レールからのスライダーの外れを防止する。
【００１２】
また、前記スライダーには前記第二の斜面を一対設け、前記下部レールには前記第一の斜面を一対設け、前記下部レールは第一の部材に第二の部材を取着して構成し、前記第一の斜面の一方を前記第一の部材に設け、他方を前記第二の部材に形成した。
【００１３】
また、前記スライダーには下方に突出する２つの係合部を設け、前記下部レールには前記係合部を移動可能に支持する２条の係止溝を設け、前記係止溝の両側に前記第一の斜面をそれぞれ設け、前記各係合部に前記第一の斜面に対向する前記第二の斜面をそれぞれ設けた。
【発明の効果】
【００１５】
本発明によれば、引戸のスライダーの下部レールから上方への抜けを確実に防止し、かつ十分な強度を備えた下部レールを提供することができる。
【図面の簡単な説明】
【００１６】
【図１】第一の実施の形態を示す断面図である。
【図２】第二の実施の形態を示す断面図である。
【図３】第二の実施の形態を示す側面図である。
【図４】第三の実施の形態を示す断面図である。
【図５】第四の実施の形態を示す断面図である。
【図６】第四の実施の形態の動作を示す断面図である。
【図７】第四の実施の形態に関連する構成を示す断面図である。
【図８】第四の実施の形態に関連する構成を示す断面図である。
【図９】折引戸を示す正面図である。
【図１０】（ａ）（ｂ）は下部レールの従来例を示す断面図である。
【符号の説明】
【００１７】
１３，２０，３６  スライダー
１５，２２，２５，４１  下部レール
１８，２４，２９，４０ａ〜４０ｄ  第一の斜面
【発明を実施するための最良の形態】
【００１８】
（第一の実施の形態）
以下、本発明を具体化した第一の実施の形態を図１に従って説明する。パネルの下枠１１内には、スライダーの支持装置１２が設けられ、その支持装置１２から下枠１１の下方にスライダー１３が突出されている。前記支持装置１２及びスライダー１３は、図９に示す従来例と同様に各パネルの幅方向中央部に設けられる。【００１９】
前記スライダー１３は、その下面に係合凹部１４が形成され、下部レール１５にはその係合凹部１４に挿通可能とした係止凸条１６が形成されている。前記下部レール１５は、アルミ押し出し形材で形成され、床面１７上に露出して取着される。そして、床面１７からの高さが約３ｍｍとなるように形成されている。【００２０】
前記係止凸条１６は、上面が平面上であり、断面形状においてその両側に下方から上方へ向かって互いに遠ざかる斜面、すなわち斜め下方に向かう斜面１８が形成されている。従って、斜面１８と下部レール１５の底面との挟み角は鋭角であり、係止凸条１６の両側部は下方に向かって徐々に肉厚となる断面三角形状の係合手段となる。【００２１】
前記係合凹部１４は、前記係止凸条１６に対応する形状である。すなわち、係合凹部１４の両側面には、下方から上方へ向かって互いに遠ざかる斜面、すなわち斜め上方に向かう斜面１９が形成されている。【００２２】
従って、係合凹部１４に係止凸条１６を挿通すれば、スライダー１３が係止凸条１６すなわち下部レール１５に沿って移動可能であり、斜面１８，１９が互いに係合して、スライダー１３の上方への抜けが防止される。【００２３】
また、前記支持装置１２内には、スライダー１３を下部レール１５に向かって付勢する付勢手段が配設されている。上記のように構成されたスライダー１３及び下部レール１５では、次に示す作用効果を得ることができる。
（１）パネルを下部レール１５に沿って移動可能に支持することができる。
（２）下部レール１５の高さを低くしながら、斜面１８，１９の係合により、スライダー１３の下部レール１５からの外れを防止することができる。
（３）係止凸条１６の両側部は、下方に向かって徐々に肉厚となる断面三角形状であるので、十分な強度を確保することができる。従って、下部レール１５に上方から大きな荷重が作用しても、係止凸条１６が変形することはない。【００２４】
（第二の実施の形態）
図２及び図３は、第二の実施の形態を示す。この実施の形態のスライダー２０は、円錐台状のローラーが水平方向に回転可能に軸支されて構成され、その側面は斜め上方に向かう斜面２１である。下部レール２２には、係止溝２３が形成され、その側面は斜め下方に向かう斜面２４である。そして、係止溝２３の開口幅は、底面の幅より狭く、かつスライダー２０の底面の径より小さくなるように形成される。【００２５】
上記のように構成されたスライダー１３及び下部レール１５では、次に示す作用効果を得ることができる。
（１）パネルを下部レール２２に沿って移動可能に支持することができる。
（２）下部レール２２の高さを低くしながら、斜面２１，２４の係合により、スライダー２０の下部レール２２からの外れを防止することができる。
（３）係止溝２３の両側部は、下方に向かって徐々に肉厚となる形状であるので、十分な強度を確保することができる。従って、下部レール２２に上方から大きな荷重が作用しても、係止溝２３が変形することはない。【００２６】
（第三の実施の形態）
図４は、第三の実施の形態を示す。この実施の形態は、下部レール２５を２つの部材すなわち第一及び第二の部材２６，２７から構成して、前記第二の実施の形態と同様な係止溝２８を形成する構成としたものである。第二の部材２７は、第一の部材２６の幅方向中央部にビス止めされる。【００２７】
そして、第一の部材２６の両側に形成された斜面２９と、第二の部材２７の両側に形成された斜面３０とにより、係止溝２８が構成される。このように構成された下部レール２５では、前記第二の実施の形態と同様な作用効果を得ることができるとともに、第一の部材２６上にスライダーを配設した後に、第二の部材２７を第一の部材２６に固定することにより、スライダーを上方から下部レール２５に設置することが可能となる。【００２８】
従って、スライダーの幅が係止溝２８の開口幅より大きい場合に、施工性を向上させることができる。【００２９】
（第四の実施の形態）
図５及び図６は、第四の実施の形態を示す。この実施の形態は、スライダーと下部レールとに形成される斜面の数を２倍として、下部レールからのスライダーの外れをさらに確実に防止するようにしたものである。【００３０】
図７に示す構成では、下部レール３１の係止溝３２の両側に斜面３３をそれぞれ形成し、スライダー３４の下部には前記斜面３３に対向する斜面３５を設け、両斜面３３，３５を互いに係合させることにより、スライダー３４の外れを防止することができる。【００３１】
このような構成では、各斜面３３，３５間の摩擦を低減して、スライダー３４を係止溝３２内で円滑に移動させるために、各斜面３３，３５間に所定の間隙を設けることが望ましい。また、スライダー３４を下部レール３１の上方から係止溝３２内に挿入可能とすることが望ましい。【００３２】
ところが、スライダー３４は係止溝３２内の中央部を真っ直ぐに移動することは少なく、通常いずれかの斜面３３に当接しながら移動する。このような場合には、斜面３３，３５の間隔が大きいと、図８に示すように、スライダー３４が下部レール３１から外れることがある。【００３３】
本実施の形態では、図５に示すように、スライダー３６の下部に一対の係合部３７ａ，３７ｂを設け、各係合部３７ａ，３７ｂの下部には、パネルの厚さ方向両側にそれぞれ斜面３８ａ〜３８ｄが設けられる。その斜面３８ａ〜３８ｄは、斜め上方に向かい、円弧状に湾曲する凸面である。【００３４】
下部レール４１には、前記各係合部３７ａ，３７ｂを移動可能に支持する２条の係止溝３９ａ，３９ｂが形成される。その係止溝３９ａ，３９ｂの両側面には、互いに対向する斜面４０ａ〜４０ｄが形成される。その斜面４０ａ〜４０ｄは、前記斜面３８ａ〜３８ｄに対向するように斜め下方に向かい、円弧状に湾曲する凹面である。【００３５】
このように構成されたスライダー３６及び下部レール３１では、次に示す作用効果を得ることができる。
（１）図６に示すように、例えばスライダー３６の斜面３８ａが係止溝３９ａの斜面４０ａに近づいたとき、スライダー３６の斜面３８ｄは係止溝３９ｂの斜面４０ｄに係合しない状態となるが、スライダー３６の斜面３８ｃが係止溝３９bの斜面４０ｃに係合する。また、スライダー３６の斜面３８ｄが係止溝３９ａの斜面４０ｄに近づいたとき、スライダー３６の斜面３８ａは係止溝３９ａの斜面４０ａに係合しない状態となるが、スライダー３６の斜面３８ｂが係止溝３９ａの斜面４０ｂに係合する。従って、スライダー３６がいずれかの側に偏って移動する場合にも、スライダー３６の下部レール３１からの外れを確実に防止することができる。【００３６】
（２）係止溝３９ａ，３９ｂの開口部の両側部は、下方に向かって徐々に肉厚となる断面略三角形状であるので、十分な強度を確保することができる。従って、下部レール３１に上方から大きな荷重が作用しても、係止溝３９ａ，３９ｂが変形することはない。【００３７】
上記各実施の形態は、以下の態様で実施してもよい。第四の実施の形態において、係止溝を３条以上とし、係止溝と同数の係合部を設けてもよい。
【産業上の利用可能性】
【００３８】
本発明は、クローゼット等の扉、あるいは室内空間を適宜に区画する間仕切りとして使用される引戸を製造あるいは使用する産業において利用可能である。
【図１】
0004682040.tif 000002
【図２】
0004682040.tif 000003
【図３】
0004682040.tif 000004
【図４】
0004682040.tif 000005
【図５】
0004682040.tif 000006
【図６】
0004682040.tif 000007
【図７】
0004682040.tif 000008
【図８】
0004682040.tif 000009
【図９】
0004682040.tif 000010
【図１０】
0004682040.tif 000011